(57)【要約】  ユーザーが、平坦なプラットフォーム部の作業面に対してフラットモップを押し付けることによって、フラットモップから余分な流体を絞ることができる、事実上平坦なプラットフォーム部を含むモップバケツが開示される。モップバケツは収容部と、プラットフォーム部と、アクセス連絡部と、を含む。収容部は、底部と、上向きの周囲外壁と、を含む。プラットフォーム部は底部よりも高くされ、その全体が収容部の外壁の内側にある。プラットフォーム部は、収容部の底部の反対側にある作業面を含む。アクセス連絡部は、流体がプラットフォーム部から収容部内へ通過するように、プラットフォーム部の作業面と収容部とを連絡する。プラットフォーム部は事実上平坦であり、底部に対して傾斜している。【選択図】図２
2015536228.tif 000002
【特許請求の範囲】
【請求項１】
底部及び上向きの周囲外壁を含む収容部と、
前記底部よりも高くされ、全体が前記周囲外壁の内側にあるプラットフォーム部であり、前記収容部の前記底部とは反対側にある作業面を含む、プラットフォーム部と、
流体が前記プラットフォーム部から前記収容部内へと通過するように、前記プラットフォーム部の前記作業面を前記収容部に連絡するアクセス連絡部と、を含む、モップバケツであって、
前記プラットフォーム部が事実上平坦であり、
前記プラットフォーム部が前記底部に対して傾斜している、モップバケツ。
【請求項２】
前記収容部が少なくとも３つの周囲外壁を含む、請求項１に記載のモップバケツ。
【請求項３】
前記プラットフォーム部が、前記底部よりも高くされ、内壁によって支持されている、請求項１又は２に記載のモップバケツ。
【請求項４】
前記プラットフォーム部が、前記底部よりも高くされ、少なくとも３つの内壁によって支持されている、請求項１〜３のいずれか一項に記載のモップバケツ。
【請求項５】
前記プラットフォーム部が、前記底部よりも高くされ、前記周囲外壁の外縁部の周囲に支持されている、請求項１〜４のいずれか一項に記載のモップバケツ。
【請求項６】
前記プラットフォーム部が、頂部が事実上平坦である複数の隆起部を含む、請求項１〜５のいずれか一項に記載のモップバケツ。
【請求項７】
前記隆起部が複数の分離したドーム部である、請求項１〜６のいずれか一項に記載のモップバケツ。
【請求項８】
前記隆起部が複数の線状隆起部である、請求項１〜７のいずれか一項に記載のモップバケツ。
【請求項９】
平坦な前記プラットフォーム部が、平坦である前記底部に対して平行である、請求項１〜８のいずれか一項に記載のモップバケツ。
【請求項１０】
前記アクセス連絡部が、前記プラットフォーム部から前記収容部への少なくとも１つの流路を含む、請求項１〜９のいずれか一項に記載のモップバケツ。
【請求項１１】
前記アクセス連絡部が、前記プラットフォーム部から前記収容部への複数の流路を含む、請求項１〜１０のいずれか一項に記載のモップバケツ。
【請求項１２】
前記アクセス連絡部が、前記プラットフォーム部と前記周囲外壁との間に間隙を含む、請求項１〜１１のいずれか一項に記載のモップバケツ。
【請求項１３】
前記アクセス連絡部が、前記プラットフォーム部と、前記周囲外壁のうちの少なくとも３つとの間に間隙を含む、請求項１〜１２のいずれか一項に記載のモップバケツ。
【請求項１４】
第２底部及び第２周囲外壁を含む第２収容部から前記収容部を分離する仕切り壁を更に含む、請求項１〜１３のいずれか一項に記載のモップバケツ。
【請求項１５】
前記プラットフォーム部が前記収容部にヒンジにより連結されている、請求項１〜１４のいずれか一項に記載のモップバケツ。
【発明の詳細な説明】
【背景技術】
【０００１】
本開示は平坦なプラットフォーム部を有するモップバケツに関する。具体的には、本開示はフラットモップを絞るために事実上平坦であるプラットフォームを有するモップバケツに関する。
【０００２】
床のウェットクリーニングに典型的に使用されるモップは、長いハンドルと、吸収性材料を備えた作業ヘッドと、を含む。吸収性材料は、長いハンドルの端部から延びる、材料の一片の形態であってもよく、又は吸収性材料は平坦な吸収性スポンジ材料でもよい。いずれかを使用するためには、ユーザーは吸収性材料を濡らし、吸収性材料から余分な流体を絞り、濡れた吸収性材料で床を拭き、吸収性材料をきれいに洗い流し、これを繰り返す。
【０００３】
米国特許第６，８２３，５５７号、又は同第６，５３０，１１２号に記載されるように、ストリップモップでは、絞り要素は摺動自在にハンドルに連結された漏斗型装置、又はドーム型絞りバスケットであり得る。しかしながら、これらのドーム型絞りバスケットはストリップモップにのみ適用できる。
【０００４】
フラットモップでは、絞り要素は、ハンドルに連結される摺動自在な機構であってよく、フラットモップの両面をヒンジで取り付けて同時に絞る。このタイプのモップは一般的にバタフライモップと称される。バタフライモップに使用される機構は作動が困難なことがあり、破損しやすい。
【発明の概要】
【課題を解決するための手段】
【０００５】
平坦なプラットフォーム部の作業面に対してフラットモップを押し付けることによって、フラットモップから余分な流体を絞ることができるようにするための、事実上平坦なプラットフォーム部を含むモップバケツが開示される。
【０００６】
一実施形態において、モップバケツは、収容部と、プラットフォーム部と、アクセス連絡部と、を含む。収容部は底部を有し、上向きの周囲外壁を含む。プラットフォーム部は、底部よりも高くされ、その全体が収容部の外壁の内側にある。プラットフォーム部は、収容部の底部の反対側にある作業面を含む。アクセス連絡部は、流体がプラットフォーム部から収容部へと通過するように、プラットフォーム部の作業面と収容部とを連絡する。プラットフォーム部は、事実上平坦であり、プラットフォーム部は底部に対して傾斜している。
【０００７】
一実施形態において、プラットフォーム部は底部よりも高くされ、内壁によって支持される。一実施形態において、プラットフォーム部は底部よりも高くされ、周囲外壁の外縁部の周囲に支持される。
【０００８】
一実施形態において、プラットフォームは複数の隆起部を含み、隆起部の頂部は事実上平坦である。一実施形態において、隆起部は複数の、分離したドーム部である。一実施形態において、隆起部は複数の線状隆起部である。
【０００９】
一実施形態において、平坦なプラットフォーム部は平坦な底部に対して平行である。
【００１０】
一実施形態において、アクセス連絡部は、プラットフォーム部上に少なくとも１つの収容部への流路を含む。一実施形態において、アクセス連絡部は、プラットフォーム部と周囲外壁との間に間隙を含む。一実施形態において、アクセス連絡部は、プラットフォーム部と周囲外壁のうちの少なくとも３つとの間に間隙を含む。
【００１１】
一実施形態において、バケツは収容部と第２収容部とを分離する仕切り壁を更に含み、第２収容部は第２底部と、第２周囲外壁と、を含む。
【図面の簡単な説明】
【００１２】
【図１】モップバケツの一実施形態の斜視図である。
【図２】モップバケツの別の実施形態の斜視図である。
【発明を実施するための形態】
【００１３】
上記の図面は、本発明の実施形態を表しているが、考察において述べるように、他の実施形態も企図される。いずれのケースでも、本開示は、限定する目的ではなく、説明する目的で本発明を提示する。多くの他の変更及び実施形態が当業者により想到されることができ、それらは本発明の趣旨及び範囲内であることを理解すべきである。
【００１４】
図は、縮尺どおりに描かれていない場合もある。
【００１５】
図１は、モップバケツ１００の一実施形態の斜視図である。モップバケツ１００は収容部１１０と、プラットフォーム部１２０と、及びアクセス連絡部１３０と、を含む。収容部１１０は底部１１１を含み、底部１１１から上方向に突出しているのは、収容部が流体を保持できるようにするための周囲外壁１１２である。一実施形態において、周囲外壁１１２は、図２に示されるように、曲線状、楕円形、円形の単一の壁であってよい。一実施形態において、周囲外壁１１２は、図１に示されるように、２つ以上の外壁１１２を含んでよい。周囲外壁１１２は、底部１１１の反対側に外縁部１１６を形成する。
【００１６】
プラットフォーム部１２０は、流体がプラットフォーム部１２０から離れて収容部１１０に保持され得るように、底部１１１よりも高くされている。プラットフォーム部１２０は、流体がより容易に分散するように、底部１１１に対して傾斜していてよい。一実施形態において、底部１１１に対する傾斜は、少なくとも５度である。一実施形態において、底部に対する傾斜は、少なくとも２０度である。一実施形態において、底部１１１に対する傾斜は、６０度未満である。一実施形態において、底部１１１に対する傾斜は、０〜５度の間である。プラットフォーム部１２０は、底部１１１の反対に位置するプラットフォーム部１２０の表面である作業面１２１を含む。作業面１２１は、モップから余分な流体を絞るために、モップが接触することを目的とした表面である。作業面１２１は、平坦であってよく、又は隆起部１２６を含んでよい。図１に示される一実施形態において、複数の隆起部１２６が作業面１２１上に含まれる。隆起部１２６の頂部は、それ自体平坦である。隆起部１２６は、流体が容易に作業面１２１から離れて、収容部１１０内へと分散するようにする。図示されるように、これらの隆起部１２６はドーム型である。異なる大きさ、又は形状を有する、任意の数の隆起部は、隆線、円錐、又は錐体を含むと理解される。
【００１７】
プラットフォーム部１２０は、様々な方法で収容部１１０に恒久的に、又は取り外し可能に連結されてよい。図１に示される一実施形態では、プラットフォーム部１２０は底部１１１よりも高くされ、内壁１２２によって支持される。一実施形態では、図１に示されるように、いくつかの内壁１２２は底部１１１からプラットフォーム部１２０まで延びて、プラットフォーム部１２０を支持する。一実施形態において、プラットフォーム部１２０は収容部１１０全体に開放的な流路を提供するために、収容部１１０にヒンジにより連結されてよい。
【００１８】
アクセス連絡部１３０は、流体がプラットフォーム部１２０から収容部１１０へと通過するように、プラットフォーム部１２０の作業面１２１を収容部１１０に連絡する。図１に示される一実施形態において、アクセス連絡部１３０は、プラットフォーム部１２０と周囲外壁１１２との間に形成される間隙１３２を含む。間隙１３２は、プラットフォーム部１２０の一部のみと、周囲外壁１１２との間にあってよく、又はプラットフォーム部１２０を全体的に囲んでよい。図１に示される一実施形態において、間隙１３２は、モップから絞り出された流体を容易に収容部１１０内へ分散させるために、プラットフォーム部１２０を全体的に囲む。
【００１９】
一実施形態において、モップバケツ１００は、第２収容部１５０から収容部１１０を分離する仕切り１４０を更に含む。第２収容部１５０は、第２底部１５１と、第２周囲外壁１５２と、を含む。典型的には、使用する際、第２収容部１５０はきれいな流体を保持し、収容部１１０は絞り出された、汚れた流体を保持するであろう。
【００２０】
図示されるように、モップバケツ１００は収容部１１０と、プラットフォーム部１２０と、概ね三角形の第２収容部と、を含む。モップバケツ１００には、様々な形状及び大きさが使用され得ることを理解されたい。
【００２１】
図２は、モップバケツ２００の別の実施形態の斜視図である。図１に記載される実施形態に類似して、モップバケツ２００は、収容部２１０と、プラットフォーム部２２０と、アクセス連絡部２３０と、任意の第２収容部２５０と、を含む。図２では、モップ２６０は、ハンドル２６１と、吸収剤作業ヘッド２６２と、を含むことが示される。プラットフォーム部２２０は事実上平坦であり、隆起部を含まない。図２のモップバケツ２００は、底部２１１よりも高くされたプラットフォーム部２２０を含むが、収容部２１０の外縁部２１６全体での係合によって連結する。プラットフォーム部２２０は、本質的には平坦であるか、底部２１１に対して平行である。図示されるように、プラットフォーム部２２０は収容部２１０全体を覆う。それによって、図１の実施形態と図２の実施形態とを区別し、アクセス連絡部２３０はプラットフォーム部２２０の作業面２２１を通る流路２３１を含み、流体が作業面２２１から収容部２１０内へと通過できるようにする。
【００２２】
本開示のモップバケツは、床を掃除するための吸収性の平坦な作業ヘッドを備えるフラットモップから、余分な流体を絞る、容易かつ効果的な方法を提供する。モップに複雑な絞り機構を備える代わりに、平坦な表面とバケツのアクセス連絡部によって、ユーザーはモップに容易に力を加えて余分な流体を絞り、収容部に流体を集めることができる。
【００２３】
本発明の具体的な実施形態を本明細書中に示し説明してきたが、これらの実施形態は、多くの考えられる具体的な構成を単に例示しているにすぎず、これらは本発明の原理を適用して考案され得ることが理解されよう。これらの原理にしたがって、本発明の趣旨及び範囲から逸脱することなく、多くの様々な他の構成が当業者によって考案され得る。したがって、本発明の範囲は、本出願に述べられる構造に限定されるべきではなく、特許請求の範囲の文言により述べられる構造及びそうした構造の均等物によってのみ限定されるべきである。
【図１】
2015536228.tif 000003
【図２】
2015536228.tif 000004
【国際調査報告】
2015536228.tif 000005
2015536228.tif 000006
2015536228.tif 000007